(57)【要約】【課題】  床の形成が簡単に実施でき、且つ、安価に振動減衰効果の高い床を形成できるようにする。【解決手段】  スラブ１・大梁２・小梁３からなる床架構を備えた床本体Ｆ１と、床本体Ｆ１の振動を床架構の部材間に引張抵抗自在に連結した引張抵抗材４で減衰させる振動減衰機構Ｆ２とを設けた床Ｆを形成する床形成方法において、床架構の部材間への引張抵抗材４の取り付けは、床本体Ｆ１のコンクリート打設が終了した後に実施し、その引張抵抗材４の取り付けに際しては、引張抵抗材４の一端部を、少なくとも小梁３に固定すると共に、他端部４ｂをその小梁３以外の床架構部材、又は、柱に固定し、一端部４ａの固定位置より他端部４ｂの固定位置を高く設定すると共に、その固定時には、引張抵抗材４がたるまずに且つ引張力が掛からない状態で設置する。【選択図】        図２
2005188204.tif 000002
【特許請求の範囲】
【請求項１】
スラブ・大梁・小梁からなる床架構を備えた床本体と、床本体の振動を前記床架構の部材間に引張抵抗自在に連結した引張抵抗材で減衰させる振動減衰機構とを設けた床を形成する床形成方法であって、
前記床架構の部材間への前記引張抵抗材の取り付けは、前記床本体のコンクリート打設が終了した後に実施し、その引張抵抗材の取り付けに際しては、前記引張抵抗材の一端部を、少なくとも前記小梁に固定すると共に、他端部をその小梁以外の前記床架構部材、又は、柱に固定し、前記一端部の固定位置より前記他端部の固定位置を高く設定すると共に、その固定時には、前記引張抵抗材がたるまずに且つ引張力が掛からない状態で設置する床形成方法。
【請求項２】
前記引張抵抗材は、隣接する床架構部材、又は、柱との間で、側方視においてタスキ状となるように二本設ける請求項１に記載の床形成方法。
【請求項３】
前記引張抵抗材は、前記床本体の平面対角線上に配置し、終端部を前記柱に連結する請求項１又は２に記載の床形成方法。
【発明の詳細な説明】
【技術分野】
【０００１】
本発明は、スラブ・大梁・小梁からなる床架構を備えた床本体と、床本体の振動を前記床架構の部材間に引張抵抗自在に連結した引張抵抗材で減衰させる振動減衰機構とを設けた床を形成する床形成方法に関する。
【背景技術】
【０００２】
従来、この種の床形成方法としては、並設された複数の梁それぞれに線材を挿通させる挿通孔を形成し、前記挿通孔に線材を挿通させると共に各梁にわたって配置し、その後、線材に緊張させることで床全体とした剛性を向上させて補強を図るといったものがあった（例えば、特許文献１参照）。
【０００３】
【特許文献１】特許第３０７５７９４号公報（図１）
【発明の開示】
【発明が解決しようとする課題】
【０００４】
上述した従来の床形成方法によれば、線材を緊張させることで床としての剛性を向上させるものであるから、線材そのものは、緊張力を受けることができる強度を有する必要があり、高強度部材を使用する必要がある。また、線材の端部固定部や挿通孔部分には、線材から大きな応力が作用するため、それらの部分の補強が必要となる。
即ち、床全体とした形成手間が掛かることと、高い材料を使用する必要があり、コスト高となり易い問題があった。
更には、前記線材は、張力を作用させてあるから、弦楽器の弦に見られるように高い音に対して共振し易くなり、振動減衰作用のバラツキが生じ易い問題もあった。
【０００５】
従って、本発明の目的は、上記問題点を解消し、床の形成が簡単に実施でき、且つ、安価に振動減衰効果の高い床を形成できる床形成方法を提供するところにある。
【課題を解決するための手段】
【０００６】
本発明の第１の特徴構成は、スラブ・大梁・小梁からなる床架構を備えた床本体と、床本体の振動を前記床架構の部材間に引張抵抗自在に連結した引張抵抗材で減衰させる振動減衰機構とを設けた床を形成する床形成方法において、前記床架構部材間への前記引張抵抗材の取り付けは、前記床本体のコンクリート打設が終了した後に実施し、その引張抵抗材の取り付けに際しては、前記引張抵抗材の一端部を、少なくとも前記小梁に固定すると共に、他端部をその小梁以外の前記床架構部材、又は、柱に固定し、前記一端部の固定位置より前記他端部の固定位置を高く設定すると共に、その固定時には、前記引張抵抗材がたるまずに且つ引張力が掛からない状態で設置するところにある。
【０００７】
本発明の第１の特徴構成によれば、前記床架構の部材間への前記引張抵抗材の取り付けを、前記床本体のコンクリート打設が終了した後に実施することによって、コンクリート打設に伴う床架構の変形が終了した状態で前記引張抵抗材の設置を行うこととなり、床架構に取り付けた引張抵抗材に大きな外力が作用しない環境を維持することができる。そして、引張抵抗材の取り付けは、前記引張抵抗材がたるまずに且つ引張力が掛からない状態で行うから、引張抵抗材として使用する材料は、従来のような高強度を有するものに限らず、低強度のものを含めて選択範囲が広がり、材料コストの低減を図ることが可能となる。更には、固定部分の構造も、大きな応力が作用しないことから、簡単な取付構造を採用することができ、設置コストの低減のも図ることが可能となる。
また、前記引張抵抗材の取り付けに際しては、前記引張抵抗材の一端部を、少なくとも前記小梁に固定すると共に、他端部をその小梁以外の前記床架構部材、又は、柱に固定し、前記一端部の固定位置より前記他端部の固定位置を高く設定して行うから、床に発生する振動を、効果的に減衰させることが可能となる。
この振動減衰作用について説明すると、例えば、小梁上に振動源が落下して床が振動した場合を想定すると、床板と共に小梁が上下に振動し、それに伴って、小梁から斜めに配された引張抵抗材に引っ張り力が作用し、引張抵抗材の他端部から床架構部材（又は柱）にその振動が戻される。その際に、床のもともとの振動と、引張抵抗材を介して床に戻った振動との位相差によって振動減衰が図られ、この作用が、加振点から周囲へ次々と広がりながら振動減衰が図られる。また、引張抵抗材そのものが、緊張していない状態であるから、自らの振動吸収作用を最大限に期待することができ、床全体とした振動減衰効果を発揮することが可能となる。
【０００８】
本発明の第２の特徴構成は、前記引張抵抗材は、隣接する床架構部材、又は、柱との間で、側方視においてタスキ状となるように二本設けるところにある。
【０００９】
本発明の第２の特徴構成によれば、本発明の第１の特徴構成による上述の作用効果を叶えることができるのに加えて、床の上下振動に対して、上・下、何れの動きに対してもタスキ状の二本の引張抵抗材の何れかが対応でき、より床の振動減衰効果を向上させることが可能となる。
【００１０】
本発明の第３の特徴構成は、前記引張抵抗材は、前記床本体の平面対角線上に配置し、終端部を前記柱に連結するところにある。
【００１１】
本発明の第３の特徴構成によれば、本発明の第１又は２の特徴構成による上述の作用効果を叶えることができるのに加えて、床架構部材に比べて高剛性の柱に引張抵抗材の終端部を連結してあるから、引張抵抗材に加わった振動は、柱によって効率よく吸収され、床全体とした振動減衰効果をより発揮することが可能となる。
【発明を実施するための最良の形態】
【００１２】
以下に本発明の実施の形態を図面に基づいて説明する。
【００１３】
図１は、本発明の床形成方法の一実施形態で形成した床Ｆの要部を示すものである。
前記床Ｆは、図に示すように矩形形状に形成してあり、四隅部分がそれぞれ柱Ｐによって支持されている。
床Ｆは、スラブ１・大梁２・小梁３からなる床架構を備えた床本体Ｆ１と、床本体Ｆ１の振動を減衰させる振動減衰機構Ｆ２とを備えて構成されている。
因みに、本実施形態においては、前記柱Ｐ、大梁２、小梁３は形鋼によって形成されており、スラブ１は、鉄筋コンクリートによって形成されている。
【００１４】
前記床本体Ｆ１について説明する。
床本体Ｆ１の構成部材の一つである前記大梁２は、隣接する柱Ｐにわたってそれぞれ取り付けられている。
また、小梁３は、複数本設けてあり、床の対向する二辺に沿って設置されている一対の大梁２にわたって、その大梁２の長手方向に所定の間隔をあけてそれぞれ取り付けられている。
前記スラブ１は、前記大梁２、及び、小梁３の上面に載置状態に固定されている。従って、スラブ１上に作用する荷重は、小梁３から大梁２を介して柱Ｐに伝達される。尚、スラブ１は、一例として、大梁２、小梁３にわたってデッキプレートを敷設して、その上にスラブ配筋をした後、コンクリート打設を行う等の方法によって形成することができる。
【００１５】
前記振動減衰機構Ｆ２について説明する。
振動減衰機構Ｆ２は、前記床架構の部材間に引張抵抗自在に連結した鉄筋（引張抵抗材の一例）４で構成してある。
具体的には、前記鉄筋４は、図１の平面図に示すように、平行に配置されている大梁２及び各小梁３の中央部分を結ぶ線上に沿って設けられている。
また、隣接する大梁２と小梁３、又は、小梁３どうしへの前記鉄筋４の取り付き姿勢は、図２の側面図に示すように、タスキ状となるように取り付けられている。
具体的には、鉄筋４の一端部４ａは、一方の梁の上フランジｆ１（又は、下フランジｆ２）に溶接してあり、鉄筋の他端部４ｂは、他方の梁の下フランジｆ２（又は、上フランジｆ１）に溶接してあり、二本の鉄筋が梁間で交差する状態に設けられている。そして、鉄筋４は、梁間でたるまずに且つ引張力が掛からない状態に設けられている。
【００１６】
床形成方法について説明する。
［１］  柱Ｐに床架構を組み付けた後、スラブ１のコンクリート打設を行って一体的なスラブ１を形成する。
［２］  大梁２、小梁３にわたって鉄筋４を弛み無く、且つ、引っ張らないように配置して取り付ける。鉄筋４の一端部４ａは、前記小梁３の下フランジｆ２に固定し、他端部４ｂは隣接する小梁３（又は隣接する大梁２）の上フランジｆ１に固定する。
【００１７】
当該実施形態の床形成方法によれば、振動に対する減衰効果の高い床を、簡単且つ安価に形成することが可能となる。また、新設の床形成に限らず、床架構までが出来上がっている既設の床を対象として振動減衰機構Ｆ２を取り付けることでも、低振動床を形成することが可能となる。
振動減衰のメカニズムを説明すると、床Ｆ上に振動が加わった場合、スラブ１と共に小梁３が上下に振動し、それに伴って、小梁３から斜めに配された鉄筋４に引っ張り力が作用し、鉄筋４の他端部４ｂから隣接の小梁３（又は大梁２）にその振動が伝わり、そこからスラブ１側に振動が戻ることで、床Ｆにもともと加えられた振動との位相差によって振動減衰が図られる。また、隣接の小梁３に伝えられた振動は、同様に、斜めに配された鉄筋４を経由して周辺の小梁３（又は大梁２）にも伝わり、再度、スラブ１に戻るから、これらの積み重なりの減衰効果によって、床全体とした振動減衰効果を発揮することが可能となる。そして、鉄筋４そのものが、緊張していない状態で設置されているから、自らの振動吸収作用を最大限に期待することができ、より短時間に振動減衰を図ることが可能となる。
【００１８】
〔別実施形態〕
以下に他の実施の形態を説明する。
【００１９】
〈１〉  床架構の構造は、先の実施形態で説明した鉄骨と鉄筋コンクリートとを各別に用いたものに限るものではなく、両者を組み合わせたもの等、周知の他の構造を単独、又は、組み合わせて使用するものであってもよい。
〈２〉  前記引張抵抗材４は、先の実施形態で説明した鉄筋に限るものではなく、例えば、ワイヤーロープ、形鋼、ゴムロープ等で構成するものであってもよく、それらを総称して引張抵抗材という。
〈３〉  前記引張抵抗材４の配置は、先の実施形態で説明したに限るものではなく、例えば、平面的には、図３や、図４に示すように、前記床本体Ｆ１の平面対角線上に配置し、終端部を前記柱Ｐに連結する状態に配置してあってもよい。この場合、柱Ｐの剛性が高いため、引張抵抗材４から伝わる振動が吸収され易く、より振動減衰効果が向上する。
また、前記引張抵抗材４の平面配置は、先の実施形態で説明した一列に限るものではなく、例えば、図４や、図５に示すように、多数列に配置するものであってもよい。
また、床への加振点が予め決められた位置に特定できるような場合には、各スパンに引張抵抗材をそれぞれ設けることに替えて、図６に示すように、加振点付近の梁スパンにわたって設けるものであってもよい。
また、引張抵抗材４の側面的な配置に関しては、先の実施形態で説明したタスキ形状に限るものではなく、例えば、図７、図８に示すように、一つの梁スパンに単一配置してあってもよい。また、引張抵抗材４の一端部４ａ、他端部４ｂの床架構への取り付き高さは、先の実施形態に限らず、例えば、図８に示すように、何れか一方の取り付き位置が、梁の上下中間部に設定されていてもよい。
更には、引張抵抗材４の床架構への取り付けは、溶接に限るものではなく、例えば、床架構に引張抵抗材４を挿通させる挿通孔を設け、長尺の引張抵抗材４をそれらの挿通孔に順次挿通させて配置するものであってもよい。
【００２０】
尚、上述のように、図面との対照を便利にするために符号を記したが、該記入により本発明は添付図面の構成に限定されるものではない。
【図面の簡単な説明】
【００２１】
【図１】床の平面図
【図２】床の側面視断面図
【図３】別実施形態の床の平面図
【図４】別実施形態の床の平面図
【図５】別実施形態の床の平面図
【図６】別実施形態の床の平面図
【図７】別実施形態の床の要部の側面視断面図
【図８】別実施形態の床の要部の側面視断面図
【符号の説明】
【００２２】
１      スラブ
２      大梁
３      小梁
４      鉄筋（引張抵抗材の一例）
４ａ    一端部
４ｂ    他端部
Ｆ      床
Ｆ１    床本体
Ｆ２    振動減衰機構
Ｐ      柱
【図１】
2005188204.tif 000003
【図２】
2005188204.tif 000004
【図３】
2005188204.tif 000005
【図４】
2005188204.tif 000006
【図５】
2005188204.tif 000007
【図６】
2005188204.tif 000008
【図７】
2005188204.tif 000009
【図８】
2005188204.tif 000010